【手続補正書】
【提出日】令和3年6月17日(2021.6.17)
【手続補正１】
【補正対象書類名】特許請求の範囲
【補正対象項目名】全文
【補正方法】変更
【補正の内容】
【特許請求の範囲】
【請求項１】
熱可塑性ポリマー前駆体、例えばＰＶＣプラスチゾル又はポリマー樹脂を押出プロセスにおいて発泡させるための化学発泡剤であって、
前記化学発泡剤が機能化微粒子重炭酸塩を含み、
前記機能化微粒子重炭酸塩が少なくとも１種の添加物を含有し、及び
前記機能化微粒子重炭酸塩中の添加物が、ロジン酸、それの任意の誘導体、それの任意の塩、又はそれらの任意の組み合わせを含み、好ましくはアビエチン酸、ジヒドロアビエチン酸、ネオアビエチン酸、ロジン酸エステル、又はそれらの混合物を含み、より好ましくはアビエチン酸、ジヒドロアビエチン酸、又はそれらの混合物を含む
化学発泡剤。
【請求項２】
発泡剤が、発熱性発泡剤である、いかなるさらなる発泡剤も含有しない、又は化学発泡剤が、加熱中に窒素ガスを遊離させる化合物を含有しない、又は化学発泡剤が、加熱中にアンモニアガスを遊離させる化合物を含有しない、請求項１に記載の化学発泡剤。
【請求項３】
機能化微粒子重炭酸塩が、
−  １種以上のポリマー；
−  １種以上のアミノ酸、それらの任意の誘導体、及びそれらの塩；
−  １種以上の無機塩；
−  １種以上の油；
−  １種以上の脂肪；
−  １種以上の樹脂酸、それらの任意の誘導体、及びそれらの塩；
−  １種以上の脂肪酸、それらの任意の誘導体、及びそれらの塩；
−  カルボン酸若しくはポリカルボン酸、それの誘導体（エステルなど）、若しくはそれの塩；
−  １種以上の石鹸；
−  １種以上のワックス；又は
−  それらの任意の組み合わせ
から選択される；
好ましくは、ポリエチレングリコールなどのポリオキシアルキレン及びそれらの誘導体、ポリ（メタ）アクリレート及びそれらの誘導体、ポリビニルアルコール、多糖類並びにそれらの組み合わせからなる群からより好ましくは選択される少なくとも１種のポリマーから；さらにより好ましくは、ポリビニルアルコール並びにポリエチレングリコールなどのポリオキシアルキレン及びそれらの誘導体からなる群から選択される
少なくとも１種の追加の添加物を含む、請求項１又は２に記載の化学発泡剤。
【請求項４】
機能化微粒子重炭酸塩が、少なくとも５０重量％及び１００重量％未満の重炭酸塩成分と、５０重量％以下〜０．０２重量％の前記添加物の少なくとも１種とを含む、請求項１〜３のいずれか一項に記載の化学発泡剤。
【請求項５】
機能化微粒子重炭酸塩が、少なくとも６５重量％及び１００重量％未満の重炭酸塩成分と、３５重量％以下〜０．０２重量％の前記添加物の少なくとも１種とを含む、請求項１〜４のいずれか一項に記載の化学発泡剤。
【請求項６】
機能化微粒子重炭酸塩の粒子が、１μｍ超及び最大でも２５０μｍ、好ましくは最大でも１００μｍ、より好ましくは最大でも６０μｍ、その上より好ましくは最大でも４０μｍ、その上最も好ましくは最大でも２５μｍのＤ５０の粒度分布を有する、請求項１〜５のいずれか一項に記載の化学発泡剤。
【請求項７】
機能化微粒子重炭酸塩の前記粒子が、最大でも１μｍのＤ５０の粒度分布を有する、請求項１〜５のいずれか一項に記載の化学発泡剤。
【請求項８】
機能化微粒子重炭酸塩が、以下のプロセスの少なくとも１つによって：
−  噴霧乾燥（アトマイゼーションとしても知られる）によって、ここで、添加物は重炭酸塩含有溶液に溶解しており、
−  エマルジョン若しくは粉末形態での前記添加物との粉砕若しくは共粉砕（ミリング若しくは共ミリングとしても知られる）によって；
−  流動床内でのスプレーコーティング及び噴霧造粒によって、
−  流動床内での噴霧集塊によって、
−  噴霧チリング（例えば、噴霧冷却、噴霧凍結）によって、
−  ローラー圧縮によって、並びに／又は
−  同時混合／押出などの、押出によって
得られ；
任意選択的に、このようにして得られた機能化微粒子重炭酸塩を、その平均粒径を低減するためにミリングにかける工程がこれに続き；好ましくは、添加物との粉砕、押出、及び／又は添加物でのスプレーコーティングによって得られ；より好ましくは、添加物との粉砕及び／又は押出によって得られる、請求項１〜７のいずれか一項に記載の化学発泡剤。
【請求項９】
加熱時にＣＯ２を遊離させる第２化合物をさらに含む、請求項１〜８のいずれか一項に記載の化学発泡剤であって、前記第２化合物が、カルボン酸若しくはポリカルボン酸、それの誘導体（エステルなど）、又はそれの塩からなる群から選択され、ここで、前記第２化合物が、任意選択的に、機能化微粒子重炭酸塩中のものと異なるか又は同じものである少なくとも１種の添加物、好ましくは同じ添加物で機能化されており、及びここで、前記第２化合物が、好ましくは、
−  フマル酸、
−  酒石酸、
−  クエン酸、クエン酸塩（クエン酸水素ナトリウム、クエン酸二ナトリウムなど）、若しくはクエン酸のエステル；又はそれらの組み合わせ
の少なくとも１つである、化学発泡剤。
【請求項１０】
機能化微粒子重炭酸塩が、シリカをさらに含み、好ましくは非晶質シリカを含み、より好ましくは非晶性沈澱シリカを含む、請求項１〜９のいずれか一項に記載の化学発泡剤。
【請求項１１】
ポリマーと、任意選択的に起泡安定剤と、請求項１〜１０のいずれか一項に記載の化学発泡剤とを含む、発泡性ポリマー組成物であって、前記ポリマーが、ＰＶＣ、ポリウレタン、ポリオレフィン（ＰＥ、ＰＰなど）、スチレン系ポリマー（ＰＳ、ＡＢＳ、ＡＳＡ、ＳＡＮなど）、エンジニアリング樹脂、ポリフェニレンオキシド、ポリイミド、並びに天然ゴム及びニトリルブタジエンゴム（ＮＢＲ）又はクロロプレンゴム（ＣＲ）などの合成ゴム、又はポリアミドである組成物。
【請求項１２】
ＡＤＣＡ（アゾジカルボンアミド）、ＯＢＳＨ（４，４’−オキシビス（ベンゼンスルホニルヒドラジド））、ＤＮＰＴ（ジニトロソペンタメチレンテトラミン）、ＰＴＳＳ（ｐ−トルエンセミカルバジド）、ＢＳＨ（ベンゼン−４−スルホノヒドラジド）、及びＴＳＨ（トルエン−４−スルホノヒドラジド）、５−ＰＴ（５−フェニルテトラゾール）からなる群から好ましくは選択される、発熱性化学発泡剤をさらに含む、より好ましくはＡＤＣＡを含む、請求項１１に記載の発泡性ポリマー組成物。
【請求項１３】
発泡性ＰＶＣプラスチゾル組成物である、請求項１１又は１２に記載の発泡性ポリマー組成物であって、ポリマーがＰＶＣ樹脂を含む組成物。
【請求項１４】
発泡性ＰＶＣプラスチゾル組成物である、請求項１１に記載の発泡性ポリマー組成物であって、ポリマーがＰＶＣ樹脂を含み、及び、それが、好ましくはＡＤＣＡ（アゾジカルボンアミド）、ＢＳＨ（ベンゼンスルホニルヒドラジド）、及び／又はＴＳＨ（ｐ−トルエンスルホニルヒドラジド）を含有しない組成物。
【請求項１５】
機能化微粒子重炭酸塩を含む請求項１１又は１２に記載の発泡性ポリマー組成物を、ポリマーのガラス転移温度Ｔｇよりも上の及び／又は溶融温度Ｔｍよりも上の温度で、１３０秒未満であるゲル化時間の間ＣＯ２ガスを遊離させる及びポリマーを溶融させるのに好適な温度で加熱する工程を含む、ポリマーの製造方法。
【請求項１６】
ポリマーが、ＰＶＣ、ポリウレタン、ポリオレフィン、又はポリアミドである、請求項１５に記載の方法によって得られる発泡ポリマー。
【請求項１７】
機能化微粒子重炭酸塩とＰＶＣ樹脂とを含む請求項１３又は１４に記載の発泡性ＰＶＣポリマー組成物を、１９０〜２１０℃、好ましくは２００〜２１０℃の温度で、９０秒〜１２０秒のゲル化時間の間ＣＯ２ガスを遊離させる及びＰＶＣポリマーを溶融させるのに好適な温度で加熱して発泡ＰＶＣポリマーを提供する工程を含む、ＰＶＣ発泡ポリマーの製造方法であって、発泡性ＰＶＣポリマー組成物が、好ましくは、加熱及び溶融の前に表面上にスプレッドコートされ、並びにＰＶＣ発泡ポリマーが、少なくとも２７０、好ましくは少なくとも２８０、より好ましくは少なくとも３００の膨張比を有する及び／又は０．６ｇ／ｃｍ３未満、好ましくは０．５５ｇ／ｃｍ３未満、より好ましくは最大でも０．５ｇ／ｃｍ３の密度を有する方法。
【請求項１８】
機能化微粒子重炭酸塩を含む請求項１３又は１４に記載の発泡性ＰＶＣプラスチゾル組成物を、ゲル化時間の間ＣＯ２ガスを遊離させる及びＰＶＣ樹脂を溶融させるのに好適な温度で加熱する工程を含む、ポリマーの製造方法であって、機能化微粒子を含む化学発泡剤での前記ゲル化時間が、発泡性ＰＶＣプラスチゾル組成物中の全ての他の成分が同じものである、Ｎ２を遊離させる化学発泡剤で得られるゲル化時間未満である方法。
【請求項１９】
請求項１７又は１８に記載の方法によって得られる発泡ＰＶＣ。